(57)【特許請求の範囲】
【請求項１】
カテーテルを瘻孔を通して体腔に挿入するとき、該カテーテルを案内するための構造支持部を有する固定部品であって、
前記カテーテルは、使用時に前記体腔内で展開される固定用のリテーナを有し、
前記固定部品は、
遠位端及び近位端を有する膨張可能な固定用のバルーンを前記構造支持部上に備え、
固定用の前記バルーンは、少なくとも１つのカラーを前記遠位端または前記近位端において有し、
前記バルーンは、前記バルーンの前記近位端に凹部が形成される膨張時形状を有し、
前記バルーンは、体腔内で膨張したとき、体腔内で展開された前記カテーテルの前記固定用のリテーナを、前記凹部が受容するように構成されることを特徴とする固定部品。
【請求項２】
前記バルーンは、円錐形及び半球形からなる群から選択された形状を有することを特徴とする請求項１に記載の固定部品。
【請求項３】
前記カテーテルは、栄養チューブの部品であり、
前記バルーンは、頂部と基部とを備えた形状を有し、前記基部は患者の内側腹壁に接触し、前記基部は、前記リテーナより大きい幅を有することを特徴とする請求項１に記載の固定部品。
【請求項４】
前記バルーンは、非柔軟または半柔軟であるポリマーから作られることを特徴とする請求項１に記載の固定部品。
【請求項５】
前記バルーンに対して形状保持を与えるための、前記基部の一点から他の一点にわたる補強結合部を更に備えることを特徴とする請求項３に記載の固定部品。
【請求項６】
固定用の前記バルーンに対してより大きな膨張時形状保持を与えるための、固定用の前記バルーンの周囲のスカート部を更に備えることを特徴とする請求項１に記載の固定部品。
【請求項７】
前記バルーンが、前記頂部と前記基部との間に壁を有し、前記壁は前記頂部及び前記基部より硬いことを特徴とする請求項３に記載の固定部品。
【請求項８】
前記カテーテルは、経腸栄養チューブの部品であり、
前記固定部品は、瘻孔を拡張するための別体の拡張用バルーンを更に含むことを特徴とする請求項１に記載の固定部品。
【請求項９】
固定用の前記バルーンと前記拡張用バルーンとは、互いに一体に結合され、かつ別々の膨張用ルーメンを前記構造支持部内に有することを特徴とする請求項８に記載の固定部品。
【発明の詳細な説明】
【技術分野】
【０００１】
本出願は、２０１２年９月２８日出願の米国仮出願第６１／７０７３１８号を基礎とする優先権を主張する。
【０００２】
本発明は、栄養チューブ等のカテーテル、及び患者の身体へのその配置に関する。
【背景技術】
【０００３】
所望の医療上の目標を達成するために体腔にカテーテルを挿入することが必要となる状況が数多く存在する。比較的一般的な状況の１つとして、胃または小腸内に栄養液または薬液を直接注入することが挙げられる。胃壁または腸壁に瘻孔が形成され、カテーテルはその瘻孔を通して配置される。この外科的な開口及び／又は開口を形成する処置は、通常「胃瘻造設」と称される。栄養液をカテーテルを通して注入することによって、胃または腸に栄養を直接供給することができる（経腸栄養として知られている）。長年にわたって経腸栄養のための様々な異なる種類のカテーテルが開発されてきた。そのようなカテーテルの中には、カテーテルの患者の皮膚に接触する部分に対して「低プロファイル」のものもあれば、より伝統的な、即ち低プロファイルでない形状のものもある。これらの経皮導管カテーテル（「経皮導管チューブ」と称されることもある）は、「胃瘻カテーテル」、「経皮胃瘻カテーテル」、「ＰＥＧカテーテル」、または「経腸栄養カテーテル」と称されることも多い。２０００年２月１日にＰｉｃｈａらに付与された「Ｌｏｗ  Ｐｒｏｆｉｌｅ  Ｂａｌｌｏｏｎ  Ｆｅｅｄｉｎｇ  Ｂａｌｌｏｏｎ」についての米国特許第６０１９７４６号（特許文献１）は、１個バルーンの例を提示している。
【０００４】
これらのカテーテルは、経皮内視鏡下胃瘻造設術（ＰＥＧと称されることが多い）と呼ばれる処置においてよく用いられる。従来は、ＰＥＧチューブは内視鏡によるガイドまたはＸ線によるガイドを用いて設置された。ＰＥＧチューブを患者の胃内に配置する従来のＰＥＧ処置では、内視鏡を用いて、患者の食道が閉塞されていないことを観察するとともに、胃を検査し膨張させて胃瘻造設のために選択された領域が拡張可能であることを確認する。そして、その位置が適切であれば、その領域を選択する。
【０００５】
皮膚に小切開部が形成され得る適切な位置の領域において患者にニードルを穿刺する。訓練を受けた内視鏡操作者（endoscopist）は、その後、一般的には、患者の皮膚、腹壁を通して選択された領域の胃管腔内にニードルが穿刺されてニードル管が形成されると、内視鏡を通して観察を行う。ガイドワイヤが胃管腔（例えば胃）の内部に通される。内視鏡操作者は、内視鏡のスネアを用いてガイドワイヤをしっかりと把持する。内視鏡の操作チャネルを通されて、スネアはガイドワイヤをしっかりと把持する。次に内視鏡とスネアの両方が、一緒に患者の口を通して引き抜かれ、ガイドワイヤがそれらとともに引っ張られる。患者の口から引き出されたガイドワイヤの端部は、その後、固定要素に取りつけられ、ガイドワイヤの他端は患者の腹部領域の皮膚の外部に残る状態となる。固定要素は、（典型的には内視鏡が患者から完全に取り出されている間に）患者の口腔内に案内され、ガイドワイヤが患者の皮膚の外部に残っている端部から引っ張られると患者の胃管腔内に引き込まれる。ひとたび固定要素が胃管腔内に入ると、固定要素は、瘻孔の点において腹壁にぴったりと付くよう引っ張られる。
【０００６】
瘻孔が適切に拡張された後、胃が腹壁にぴったりと付くように保持されている間に、栄養チューブを瘻孔を通して挿入することが可能となる。栄養チューブは、栄養チューブの遠位端が挿入された後に胃内で膨張させることができるリテーナを有する。適切な栄養チューブの１つは、本出願人を譲受人とする、２０１１年９月２６日出願の米国特許出願第１３／２４５５４２号（米国特許出願公開第２０１２／００７８１７４号）（特許文献２）に記載されている。特許文献２の栄養チューブは、リテーナとして膨張可能バルーンを用いていない。別の適切な栄養チューブは、米国特許第８１７７７４２号明細書（特許文献３）に開示されており、これはリテーナとして膨張可能なバルーンを用いている。
【０００７】
栄養チューブリテーナの挿入及び展開または膨張の間に、固定要素が栄養チューブの膨張可能なリテーナの妨げとなり、栄養チューブの遠位端を完全に挿入するために固定要素を収縮させるか取り出さなければならないことがある。これによって、患者において創傷が加わることもあり、この種のリテーナをうまく挿入することが不可能になることも起こり得る。
【０００８】
従って、使用者即ち医療提供者が患者の瘻孔を通して体腔内（例えば胃内腔内）に栄養チューブを配置することを迅速かつ容易に行えるようにする、改善された固定要素のニーズがある。そのような固定要素は、リテーナと協働しなければならず、その位置を保持しつつ栄養チューブの挿入は可能となるように設計される。この固定要素は、栄養チューブが挿入される際に栄養チューブの膨張可能なリテーナの妨げになってはならない。
【先行技術文献】
【特許文献】
【０００９】
【特許文献１】米国特許第６０１９７４６号明細書
【特許文献２】米国特許出願公開第２０１２／００７８１７４号
【特許文献３】米国特許第８１７７７４２号明細書
【発明の概要】
【課題を解決するための手段】
【００１０】
本明細書に記載した困難や問題に対して、本発明は、望ましくは内視鏡を用いた直接可視化の下で胃管腔へ配置するための栄養チューブとともに使用する、革新的な固定部品を提供する。前記固定部品は、凹んだ、即ち凹面をなす中心部のある形状を有するバルーンを有し、その凹面をなす中心部が、挿入された栄養チューブの遠位端を収容する空間を提供する。前記固定部品は、胃を内側腹壁に対して保持する。
【図面の簡単な説明】
【００１１】
【図１】図１は、内側腹壁にぴったりと付くように引っ張られた胃の内部に配置された固定部品を、ガイドワイヤ上の断面において示す図である。
【図２】図２は、膨張された固定部品及び栄養チューブの断面図であり、栄養チューブが挿入されたときの両者の関係を示す。
【図３Ａ】図３Ａは、補強結合部を有する膨張した固定部品の断面図である。
【図３Ｂ】図３Ｂは、図３Ａに示す固定用バルーンの近位端の図であり、バルーンをともに保持している結合部を示す。
【図４】図４は、固定用バルーンの補強のためのスカート構造を有する膨張された固定部品の断面図である。
【図５】図５は、固定部品に対して補強を与えるより硬い壁（太い側部の線で示す）を有する、膨張された固定部品の断面図である。
【図６】図６は、近位端の中心部の凹面内に拡張用バルーンを収容している固定部品を示す図である。
【図７Ａ】図７Ａは、非膨張状態にあるバルーンリテーナを有する従来の経腸栄養チューブを示す図である。
【図７Ｂ】図７Ｂは、膨張状態にあるバルーンリテーナを有する従来の経腸栄養チューブを示す図である。
【発明を実施するための形態】
【００１２】
ここで、図面に示す１つ以上の実施形態及び実施例を参照して詳述する。なお、１つの実施形態の一部として図示または説明した特徴が別の実施形態で用いられることで、更に別の実施形態が生み出されることを理解されたい。
【００１３】
胃は、胃管腔の一般的な例であることから、本発明の説明のために、用語「胃」は、特に断らない限り他の全ての胃管腔または腔（例えば、十二指腸、空腸、回腸等）の代表となる。
【００１４】
固定部品１０の機能は、経腸栄養チューブを配置している間及び配置後に、胃（または他の胃管腔）を腹壁に対して維持することである。図１は、胃壁１１６が内側腹壁１１８に対してぴったりとくっついた状態となるように配置された構造支持部１０４上の固定用バルーン１００を示す。
【００１５】
図１に示すように、固定部品１０は、構造支持部１０４上に膨張可能な固定用バルーン１００を有する。固定用バルーン１００は、遠位端１０３または近位端１０５上、またはその近傍に少なくとも１つのカラー１０２を有するが、図２に示すように２つのカラーを有するのが望ましい。バルーン１００は、望ましくは、その膨張時に結果的にバルーン１００の近位端１０５に凹面が生ずるような円錐形を有する。その凹面は、望ましくは同心である。
【００１６】
構造支持部１０４は、バルーン１００に対して長く伸びており、バルーン１００が必要に応じて膨張・収縮されるようにする、バルーンと連通した膨張用ルーメン１０７を有し得る。構造支持部１０４は、必要に応じてバルーン１００を動かすために使用され得るカニューレ、探り針、ロッドまたは他の支持体であり得る。構造支持部１０４は、特定の装着における必要に応じて、柔軟でも、硬質でも、柔軟部分と硬質部分の組み合わせでもよい。
【００１７】
栄養チューブ２００は、構造支持部１０４上に案内されて進められ、瘻孔内に入れられる。膨張された固定用バルーン１００によって、胃の中に入る栄養チューブのリテーナ２０２のための空間が確保される。リテーナ２０２は、従来より周知のように、栄養チューブを所定位置に保持するために展開することができる。次いで固定用バルーン１００を収縮させて、患者から取り除くことができる。図７Ａは、遠位端に膨張可能なバンパ（緩衝器）またはリテーナ２０２を有する栄養チューブ２０２を示す。リテーナ２０２がその収縮した即ち挿入のための状態にある間、例えば膨張可能なリテーナが収縮された状態、硬質のリテーナの場合には径方向に収縮した状態にある間、栄養チューブ２００は構造支持部１０４上を前に進められる。ひとたびリテーナ２０２が胃内の所定位置に置かれると、リテーナ２０２は展開された状態、即ち膨張された状態（図７Ｂ）または径方向に拡張された状態にすることができる。展開されたリテーナ２０２は胃を内側腹壁に対して保持し、固定用バルーン１００は取り除かれてもよい。こうして栄養チューブ２００の装着は完了し、栄養チューブ２００は利用可能な状態とされ得る。
【００１８】
図面に見られるように、略円錐形の固定用バルーン１００は、膨張された状態では、円錐の頂部１０８、円錐の基部１１０、及び頂部１０８と基部１１０との間の側部表面または壁部１１４を有する。上記したように、バルーン１００は略円錐形の形状で、凹んだ凹面をなす中心部を与えることができ、これは栄養チューブ２００のリテーナ２０２のための空間を提供する。円錐形の実施形態が図示されているが、箱形状または半球形状の場合も同様に機能することに留意されたい。その固定部品も、同様にその後挿入された部品の遠位端を収容するための凹んだ中心部の空間を確保しつつ、胃を内側側壁に対して保持する。
【００１９】
固定用バルーン１００の膨張された形状は、バルーン基部１１０と壁部１１４がそれ自身の上に向かって後ろに折り返ってしまうことがあり得ることが見いだされた。「後ろに折り返る」とは、バルーンにおける胃の内壁に接触する部分である基部１１０が、バルーン１００の頂部１０８に向かって折り返った状態となり得ることを意味している。この状態は、固定用バルーン１００即ち胃を内側腹壁に向けて引っ張るために用いられる力の大きさが過剰である場合に生じ得る。固定用バルーン１００が後ろに折り返った場合、栄養チューブのための空間が失われることがある。図３、図４、及び図５は、この問題に対する可能な解決を提示する。
【００２０】
図３Ａは「結合部」１２２の使用を示し、この結合部は、栄養チューブのリテーナ２０２のための空間が凹面内に確保されるようにしつつ基部１１０上の複数の点を結合することによって、膨張時の基部１１０に対し、その大きさについての支持を与える。補強結合部は、例えばひも状のもの、編み目状のもの、または孔のあいた円盤状のものであって、柔軟ではあるが伸張可能ではない。図３Ｂは、膨張されたバルーン１００の近位端の端面図であり、バルーン１００の中心部は横断せず、中心部へのアクセスがブロックされないように例えば対角方向でバルーン１００に結合する結合部１２２の実施形態を示す。
【００２１】
図４は、元の固定用バルーン１００の上に設けられる第２のバルーン１１２が、バルーン１００に円錐形の形状保持を与えるスカート部として作用する実施形態を示す。第２のバルーン１１２は、バルーン１００が膨張時に円錐形の形状となるように強制するべく部分的に包むスリーブ、即ちスカート部である。別のスカート部の実施形態は、バルーン１１２の代わりに用いられる非膨張のスリーブであり、この非膨張のスリーブは、固定用バルーン１００の膨張時に変形して近位端側により大きい端部を有するべく変形する円筒状部であるか、或いは、他方の端部より大きい近位側の端部を有するように予め成形されたものであり得る。
【００２２】
図５は、バルーン１００の頂部１０８と基部１１０との間の側壁１１４をより硬質にする（図中で太い線で示されている）ことによってバルーンに強度を与えるという、更に別の方法を示す。壁１１４の硬質化は、バルーン１００の残部より硬質なポリマーの使用によって、または基部及び頂部のいずれか一方またはその両方より壁を厚くすることによって達成することができる。
【００２３】
非柔軟または半柔軟材料と既知の成形技術（例えば、予備成形した空隙内へのブロー成形等）を用いることは、カラー１０２の間のバルーン１００を円錐形にするのに役立ち得る。構造支持部１０４上のカラー１０２の配置も、円錐形を形成するための更に役立つ。図２は、バルーン１００の重複が生じないように構造支持部１０４に取り付けられたバルーン１００の遠位端にあるカラー１０２を示すとともに、より近位側に配置されたバルーン１００のカラーが、バルーンがそのカラーの上で反転するような形で構造支持部に取り付けられているところを示す。
【００２４】
部品１０は、膨張可能な拡張用バルーン１３０を備えるか、または図６に示すように、固定用バルーン１００に隣接して、膨張可能な拡張用バルーン１３０が配置されるように構成され得る。部品１０が拡張用バルーン１３０を備える場合、拡張用バルーン１３０は構造支持部１０４に支持される。拡張用バルーン１３０が別体の部品である場合、拡張用バルーンは構造支持部１０４の上に配置されるべく構成される。部品１０に備えられる場合でも、別体として設けられる場合でも、拡張用バルーン１３０は２つの端部を有し、一端（遠位端）１３２は少なくとも部分的に膨張された固定用バルーン１００の凹面内に収容される。拡張用バルーン１３０は、遠位端１３２と近位端１３４との間の長さ部分に沿って一様な膨張時直径を有し、かつ膨張用ルーメン１３６と連通する開口を有しているべきである。
【００２５】
上述のように、腹部上の皮膚１２０を穿孔し、所望の位置にガイドワイヤを配置するために、通常はニードルが用いられる。これは、一般的に、初期の穿孔点が胃の内部から観察され得るように患者の胃内に挿入された内視鏡を用いて行われる。
【００２６】
（アウトサイド・イン方式の装着）
胃への送気の後、構造支持部１０４の近位端を体外に残した状態で固定部品１０を経皮的に胃の内部に挿入する。拡張用バルーン１３０を配置するが、このとき、固定用バルーン１００の凹面内に収容されることを意図された拡張用バルーン１３０の端部１３２が、経皮的に胃内に挿入され、他方の端部１３４は構造支持部１０４の近位端を完全に覆わない形で体外に残されるように拡張用バルーン１３０を配置する。固定用バルーン１００を膨張させると、牽引力（引っ張り力）が構造支持部１０４の近位端に加わり、膨張された固定用バルーン１００の近位端１０５が胃に対して引っ張られる。拡張用バルーン１３０を膨張させ、挿入管を拡大して瘻孔を形成し、次いで収縮させる。リテーナ２０２が挿入状態（即ち、たたまれた、つぶれた、または収縮した状態）にある経腸栄養チューブ２００を、構造支持部１０４、収縮した拡張用バルーン１３０上で挿入し、瘻孔を通して膨張された固定用バルーン１００の凹面内に入れる。リテーナ２０２を展開して、凹面内で保持状態（広げられた、拡張された、または膨張された状態）とし、リテーナ２０２が胃壁に付くようにチューブ２００を配置する。固定用バルーン１００を収縮させて、牽引力を解放する。構造支持部１０４、固定部品１０、及び他の配置用デバイス（例えば拡張用バルーン１３０）を、チューブ２００を通して取り除く。
【００２７】
固定部品１００を用いて、非膨張可能なリテーナまたはバンパ２０２を備えた栄養チューブ２００を配置する場合には、胃と腹壁とをこれらの組織構造が融合するまで接合状態を維持するのを助ける胃腹壁固定用ファスナは必要なくなる。そのようなバンパ２０２を備えた栄養チューブ２００は、胃を腹壁に対して接合状態を維持するための十分な寸法上の安定性を有する。リテーナ２０２が膨張可能なタイプの場合、胃を腹壁に保持させるために胃腹壁固定術を行うことが推奨される。
【００２８】
固定部品１０を用いて膨張可能なリテーナ２０２またはバンパを備えた栄養チューブ２００を配置する場合、胃と腹壁とをこれらの組織構造が融合するまで接合状態に維持するために、固定用バルーン１００を、膨張したバンパ２０２の周囲で膨張した状態にしておいてもよい。固定部品１０によって提供される接合力が必要なくなった後、固定用バルーン１０を収縮させ、部品１０を取り除いてもよい。
【００２９】
（インサイド・アウト方式の装着）
固定部品１０を、従来型のガイドワイヤの助けによって経皮切開部を通して胃の内側から配置することができる。そのようなインサイド・アウト配置のためには、経皮切開部、胃、及び食道を通って口の外に出されたガイドワイヤを、構造支持部１０４の近位端に取り付ける。内視鏡のスネアを用いてガイドワイヤを引っ張ることもできる。ガイドワイヤを切開部を通して外向きに引っ張り、それで固定部品１０を胃内に引き入れ、切開部を通して上述したように固定部品を配置する。装着手順の残りの部分は、上述の場合と同様である。
【００３０】
「アウトサイド・イン」方式の手順を用いる場合でも、「インサイド・アウト」方式の手順を用いる場合でも、ひとたび固定用バルーン１００を図１に示すように上手く配置させて膨張させると、瘻孔が拡張され、栄養チューブ２００が配置可能となる。
【００３１】
本発明の実施においては、栄養チューブ２００は約４〜６フレンチの範囲のチューブサイズを有し得る。膨張した固定用バルーン１００の基部１１０の幅は、（図２に示すように）栄養チューブのリテーナ２０２のサイズよりも大きく、栄養チューブ部品１０のリテーナ２０２が展開が可能になる２６〜２８フレンチの範囲であり得る。（注意：フレンチとは、同じ外周長の非円形のチューブは同じ切開部にぴったりと嵌め込まれるという理論に基づく外部サイズの測定単位である。１フレンチは約０．３３ｍｍ即ち０．０１３インチである。）バルーン１００は、適切なポリマー製であり得る。典型的なポリマーとしては、ポリエステル、ポリウレタン、ナイロンの他、ポリエチレン、ポリプロピレン、及びポリブチレン等のポリオレフィンが挙げられる。
【００３２】
特定の好適な実施形態に基づいて本発明について説明してきたが、本発明に包含される発明主題は、上述の特定の実施形態に限定されないことを理解されたい。むしろ、本発明の発明主題は、特許請求の範囲の記載の精神及び範囲内に含まれ得るあらゆる代替実施形態、改変、及び均等物を包含することが想定されている。
【図１】
0006302913.tif 000002
【図２】
0006302913.tif 000003
【図３Ａ】
0006302913.tif 000004
【図３Ｂ】
0006302913.tif 000005
【図４】
0006302913.tif 000006
【図５】
0006302913.tif 000007
【図６】
0006302913.tif 000008
【図７Ａ】
0006302913.tif 000009
【図７Ｂ】
0006302913.tif 000010